(57)【要約】【課題】簡単な構造及び製造工程で、ブラシ毛を植毛したワイヤーのゆるみ及び切断を防止するとともに、エッジ部による引っ掛かりを軽減させる。【解決手段】医療用ブラシ１は、長尺の操作ワイヤー２と、ブラシ部３と、球状金属パイプ４，６，７と、金属パイプ５とを含んで構成されている。第１の固定部５３は、第１の開口部５１から挿入した前記操作ワイヤー２の先端部２１に前記金属パイプ５の外周面が押圧されてなり、該操作ワイヤー２を該金属パイプ５に固定する。第２の固定部４２は、前記ブラシ部３の一端部に前記球状金属パイプ４の外周面が押圧されてなり、該ブラシ部３の一端部に該球状金属パイプ４を固定する。第３の固定部５４は、球状金属パイプ４を前記金属パイプ５に突き当てるまで第２の開口部５２から挿入した前記突出部３３に該金属パイプ５の外周面が押圧されてなり、前記ブラシ部３を該金属パイプ５に固定する。【選択図】　図１
2004105290.tif 000002
【特許請求の範囲】
【請求項１】
金属製のワイヤー部材からなる所定の大きさの第１の外径を有する長尺の操作ワイヤーと、
対象物をブラッシングするブラシ毛が植毛された所定の大きさの第２の外径と所定の長さを有する金属製のワイヤー部材からなるブラシ部と、
前記ブラシ部が有する第２の外径よりも大きい内径に形成された貫通路を有する金属製の球状材料からなる球状金属パイプと、
所定の長さに形成した金属製の筒状部材からなる金属パイプと、
前記操作ワイヤーが有する前記第１の外径よりも大きい第１の内径に形成された前記金属パイプが有する第１の開口部と、
前記ブラシ部が有する前記第２の外径よりも大きい第２の内径に形成された前記金属パイプが有する第２の開口部と、
前記第１の開口部から挿入した前記操作ワイヤーの先端部に前記金属パイプの外周面が押圧されてなり、該操作ワイヤーを該金属パイプに固定する第１の固定部と、
前記貫通路に貫通させた前記ブラシ部の一端部に前記球状金属パイプの外周面が押圧されてなり、該ブラシ部の一端部に該球状金属パイプを固定する第２の固定部と、
前記ブラシ部の一端部に固定された前記球状金属パイプから突出した該ブラシ部の一端部に設けられた突出部と、
前記球状金属パイプを前記金属パイプに突き当てるまで前記第２の開口部から挿入した前記突出部に該金属パイプの外周面が押圧されてなり、前記ブラシ部を該金属パイプに固定する第３の固定部と、
を具備したことを特徴とする医療用ブラシ。
【発明の詳細な説明】
【０００１】
【０００２】
【発明の属する技術分野】
本発明は、金属ワイヤーにブラシ毛を編み込むことにより形成した医療用ブラシに係り、特に金属ワイヤーが解けることを防止できる医療用ブラシに関する。
【０００３】
【従来の技術】
従来、医療用ブラシのブラシ毛の脱落防止策としては、ブラシ毛が編み込まれている金属ワイヤーが解けないように、固定パイプをブラシ部の先端部とブラシ毛の端末部の間の所定箇所に固定パイプをスポット溶接、銀ロー付け、かしめ等の方法で固着させている（例えば、特許文献１参照）。
【０００４】
【特許文献１】
特開２０００−６０８９５号公報（第２頁、図２）
【０００５】
【発明が解決しようとする課題】
このような従来の医療用ブラシでは、内視鏡のスコープの管路（チャンネル）に挿入して内視鏡観察下で洗浄ブラシとして使用する際に、スコープの管路形状によりブラシ部に外力を受けると、ブラシ部と固定パイプとの接続部に応力が集中し、ブラシ部の金属ワイヤーがゆるみブラシ部からブラシ毛が抜けたり、繰り返して加えられる集中荷重による疲労で金属ワイヤーが切断しブラシ部全体が抜け落ちてしまうことがある。もし、金属ワイヤーが破断してブラシ部がスコープの管路へ残った場合、取り出す作業は容易ではなく、場合によってはスコープを分解修理しなければならなかった。前記ブラシ部の金属ワイヤーがほぐれてくる位置は、金属ワイヤー端末部および固定パイプの根元付近から発生しやすかった。
【０００６】
また、ブラシ部と固定パイプの接合方法でも上記従来技術において以下のような問題が発生する。
【０００７】
通常ブラシ毛にはナイロン等の樹脂が用いられる。スポット溶接、銀ロー付けによる固定パイプの取り付けでは、加工によって発生した熱が金属ワイヤーを伝ってブラシ毛に到達し、ブラシ毛の変形、脱落および強度劣化等が発生することがあった。
【０００８】
これら加工の際の熱による影響は、固定パイプの位置がブラシに近いほど顕著に発生するため、熱影響をブラシ毛に与えないような対策が必要となり、製造工程が複雑になっていた。
【０００９】
また、固定パイプの端末形状にエッジ部が存在すると、内視鏡のスコープの管路に挿入する際の引っ掛かりの原因や、エッジ部とスコープ内部の接触によりスコープ内部を損傷させてしまうことがあった。
【００１０】
本発明は、前記事情に鑑みてなされたものであり、簡単な構造及び製造工程で、ブラシ毛を植毛したワイヤーのゆるみ及び切断を防止するとともに、エッジ部による引っ掛かりを軽減することができる医療用ブラシを提供することを目的としている。
【００１１】
【課題を解決するための手段】
前記目的を達成するため請求項１に記載の医療用ブラシは、金属製のワイヤー部材からなる所定の大きさの第１の外径を有する長尺の操作ワイヤーと、対象物をブラッシングするブラシ毛が植毛された所定の大きさの第２の外径と所定の長さを有する金属製のワイヤー部材からなるブラシ部と、前記ブラシ部が有する第２の外径よりも大きい内径に形成された貫通路を有する金属製の球状材料からなる球状金属パイプと、所定の長さに形成した金属製の筒状部材からなる金属パイプと、前記操作ワイヤーが有する前記第１の外径よりも大きい第１の内径に形成された前記金属パイプが有する第１の開口部と、前記ブラシ部が有する前記第２の外径よりも大きい第２の内径に形成された前記金属パイプが有する第２の開口部と、前記第１の開口部から挿入した前記操作ワイヤーの先端部に前記金属パイプの外周面が押圧されてなり、該操作ワイヤーを該金属パイプに固定する第１の固定部と、前記貫通路に貫通させた前記ブラシ部の一端部に前記球状金属パイプの外周面が押圧されてなり、該ブラシ部の一端部に該球状金属パイプを固定する第２の固定部と、前記ブラシ部の一端部に固定された前記球状金属パイプから突出した該ブラシ部の一端部に設けられた突出部と、前記球状金属パイプを前記金属パイプに突き当てるまで前記第２の開口部から挿入した前記突出部に該金属パイプの外周面が押圧されてなり、前記ブラシ部を該金属パイプに固定する第３の固定部と、を具備したことを特徴とする。
【００１２】
【発明の実施の形態】
以下、本発明の実施の形態を図面を参照して説明する。
（実施の形態）
図１ないし図１２は本発明の実施の形態に係り、図１は医療用ブラシの側面図、図２ないし図１２は医療用ブラシの製造工程を示す第１乃至第１１の説明図である。
【００１３】
（構成）
まず、図１を用いて医療用ブラシの構成について説明する。
図１に示すように、医療用ブラシ１は、長尺の操作ワイヤー２と、ブラシ部３と、球状金属パイプ４，６，７と、金属パイプ５と、第１及び第２の開口部５１，５２と、第１乃至第５の固定部５３，４２，５４，６２，７２とを含んで構成されている。
【００１４】
操作ワイヤー２は、長尺に形成された金属製のワイヤー部材からなり、所定の大きさの第１の外径Ｄ１を有する。
ブラシ部３は、金属製のワイヤー部材３１と、対象物をブラッシングするブラシ毛３２とから構成されている。
【００１５】
ワイヤー部材３１にはブラシ毛３２が植毛されている。また、ワイヤー部材３１は所定の大きさの第２の外径Ｄ２と所定の長さを有する。
【００１６】
球状金属パイプ４は、金属製の球状材料からなり、前記ブラシ部３が有する第２の外径Ｄ２よりも大きい内径に形成された貫通路４１を有する。
【００１７】
金属パイプ５は、所定の長さに形成した金属製の筒状部材からなる。
前記金属パイプ５は第１及び第２の開口部５１，５２を有する。第１の開口部５１は、前記操作ワイヤー２が有する第１の外径Ｄ１よりも大きい第１の内径に形成されている。第２の開口部５２は、前記第２の外径Ｄ２よりも大きい第２の内径に形成されている。
【００１８】
第１の固定部５３は、前記第１の開口部５１から挿入した前記操作ワイヤー２の先端部２１に前記金属パイプ５の外周面が押圧されてなり、該操作ワイヤー２を該金属パイプ５に固定する。
【００１９】
第２の固定部４２は、前記貫通路４１に貫通させた前記ブラシ部３の一端部に前記球状金属パイプ４の外周面が押圧されてなり、該ブラシ部３の一端部に該球状金属パイプ４を固定する。
【００２０】
突出部３３は、該ブラシ部３の一端部に設けられたものであり、前記ブラシ部３の一端部に固定された前記球状金属パイプ４から突出する。
【００２１】
第３の固定部５４は、前記球状金属パイプ４を前記金属パイプ５に突き当てるまで前記第２の開口部５２から挿入した前記突出部３３に該金属パイプ５の外周面が押圧されてなり、前記ブラシ部３を該金属パイプ５に固定する。
【００２２】
前記ブラシ部３の他端側には球状金属パイプ６が固定されている。球状金属パイプ６は、前記ブラシ部３が有する第２の外径Ｄ２よりも大きい内径に形成された貫通路６１を有する金属製の球状材料からなる。
【００２３】
第４の固定部６２は、前記貫通路６１に貫通させた前記ブラシ部３の他端部に前記球状金属パイプ６の外周面が押圧されてなり、該ブラシ部３の他端部に該球状金属パイプ６を固定する。
【００２４】
前記操作ワイヤー２の先端部２１の基端側には球状金属パイプ７が固定されている。球状金属パイプ７は、前記操作ワイヤー２が有する第２の外径Ｄ１よりも大きい内径に形成された貫通路７１を有する金属製の球状材料からなる。
【００２５】
第５の固定部７２は、前記貫通路７１に貫通させた前記操作ワイヤー２の一端部に前記球状金属パイプ７の外周面が押圧されてなり、該操作ワイヤー２の一端部に該球状金属パイプ７を固定する。
【００２６】
このような構造により、医療用ブラシ１は、内視鏡のスコープのチャンネルに挿入して内視鏡観察下で洗浄ブラシとして使用できる。
【００２７】
（作用）
次に、医療用ブラシ１の製造方法について図２乃至図１１を参照して説明する。
医療用ブラシ１の製造するために以下のような工程を要する。
【００２８】
まず、図２に示すように、ブラシ部３は、ブラシ毛３２をワイヤー部材３１の２本の金属ワイヤー３４，３５に挟み込み、金属ワイヤー３４，３５を絞り込むように巻きつけることで製造されている。このようなブラシ部３のワイヤー部材３１の他端部に前記球状金属パイプ６をかしめにより固定する。続いて、ワイヤー解け防止部材となる球状金属パイプ４の貫通路４１にブラシ部３を挿入する。さらに、図３に示すように、ワイヤー解け防止部材となる球状金属パイプ７の貫通路７１に操作ワイヤー２を挿入する。
【００２９】
ここで、ブラシ部３のワイヤー部材３１と操作ワイヤー２の双方を同部品の前記球状金属パイプ４，７に挿入できるように、ブラシ部３のワイヤー部材３１と操作ワイヤー２の外径は略同形であることが望ましい。
【００３０】
球状金属パイプ４，７の貫通路４１，７１は、それぞれ挿入されたワイヤー部材３１と操作ワイヤー２の外径よりも大きく、それぞれワイヤー部材３１と操作ワイヤー２の外周面との間に若干の隙間が確保される程度の大きさが望ましい。
【００３１】
球状金属パイプ４，７の外径はそれぞれ挿入されるワイヤー部材３１と操作ワイヤー２の外径の数倍程度の大きさが望ましい。
【００３２】
前記ワイヤー部材３１と操作ワイヤー２の外径の外径が相違する場合は、前述したとおりの関係が満たされる寸法の球状金属パイプ４，７を使用する。
【００３３】
ワイヤー部材３１が挿入された前記球状金属パイプ４は、図４に示すように、ブラシ毛３２の端面３６からワイヤー部材３１の外径の数倍程度間隔を開けた位置に該球状金属パイプ４の端面４３が来る状態で仮固定を行う。前記球状金属パイプ４の端面４４からは、ワイヤー部材３１の一端側が突出する。端面４４とワイヤー部材３１の一端側の端面３７の距離はある程度長めに設定する。
【００３４】
操作ワイヤー２が挿入された前記球状金属パイプ７は、図５に示すように、ワイヤー端末部の先端部２１が該球状金属パイプ７の端面７３から操作ワイヤー２の外径の所定倍以上突出された位置で仮固定する。仮固定の方法は、双方の球状金属パイプ４，７とも、対となった２平面の押圧部材で押圧することにより前記球状金属パイプ４，７を変形させ、それぞれワイヤー部材３１、操作ワイヤー２に仮固定する。
【００３５】
仮固定された前記球状金属パイプ４，７は、不図示のスエージングマシンにてかしめることにより、位置決め固定する。図５及び図６に示すように、スエージング加工後の前記球状金属パイプ４，７の外径は加工前の数割分、縮径した寸法を目安にする。必要以上に縮径すると、前記球状金属パイプ４，７でも端末形状がエッジ状となること、過負荷による破断等の不具合が発生する。また、スエージングマシンは前記球状金属パイプ４，７の外周面を均一に連続殴打することが可能で、均等な円周面を有した形状となるものを用いる。これにより、球状金属パイプ４，７には、図１に示した第２及び第５の固定部４２，７２が形成される。
【００３６】
スエージングマシンでかしめる時の条件として、仮止めされた前記球状金属パイプ４，７の位置ずれが発生する量を見込んで図４に示す仮止め位置を設定しておくこと、ワイヤー部材３１と操作ワイヤー２のワイヤーの巻き方向と逆方向に回転させた状態でスエージング加工させないことが必要である。前記球状金属パイプ４，７の端面４４，７３から突出したワイヤー部材３１と操作ワイヤー２は、固定パイプとしての金属パイプ５内に納まる長さで設定しておく必要がある。金属パイプ５としてはステンレス等の耐食性の強い金属パイプが望ましい。
【００３７】
ここで、前記工程で固定された前記球状金属パイプ４，７の位置がずれてしまいワイヤー突出量を調整しなくてはいけない場合、もしくはワイヤー部材３１と操作ワイヤー２のワイヤー突き出し量を調整することを前提として固定していた場合は、ワイヤー突き出し量をグラインダー等で研削して調整する必要がある。
【００３８】
このとき、ワイヤー部材３１のワイヤー突出量を調整する場合には、図８に示すように、グラインダー等で必要以上に研削しないように研削の対象とする部分のみを露出させる治具８を用いるとよい。
【００３９】
図８に示すように、治具８は硬度の高い金属製のブロックにより形成されている。治具８の上面には、ブラシ毛３２と球状金属パイプ７の間のワイヤー部材３１が挿入される第１の溝部８１と、球状金属パイプ７が挿入される凹部８２と、ワイヤー部材３１の他端側が挿入される第２の溝部８３が形成されている。
【００４０】
第２の溝部８３の長さが、球状金属パイプ７に対するワイヤー部材３１の正規のワイヤー突出量である。第２の溝部８３から治具８の側面８４より外側に延出するワイヤー部材３１が研削する部分である。
【００４１】
図９に示すように、ワイヤー部材３１のワイヤー突出量を調整する場合には、治具８の側面８４から延出するワイヤー部材３１をグラインダ９の回転する研削砥石９１に当てて削り取る。
【００４２】
これにより、ワイヤー部材３１のワイヤー突出量を正規の量に調整できる。　　次に、図１０示すように、前記金属パイプ５は第１及び第２の開口部５１，５２には、それぞれ操作ワイヤー２の先端部２１及びワイヤー部材３１の突出部３３を挿入し、先端部２１及び突出部３３をつき合わせた状態にする。
【００４３】
金属パイプ５はワイヤー部材を固定する固定パイプとなっている。金属パイプ５は、操作ワイヤー２及びワイヤー部材３１のワイヤー外径（外径Ｄ１，Ｄ２）から僅かに大きい内径を有しており、金属パイプ５の内周面と操作ワイヤー２及びワイヤー部材３１のワイヤー外周面との間に、隙間が確保されている。
【００４４】
金属パイプ５の外径は、内径の数倍程度、金属パイプ５の長さはワイヤーと固定パイプの接触面積をなるべく多く取れるような程度が望ましい。
【００４５】
次に、操作ワイヤー２及びワイヤー部材３１のワイヤー部端面をつき合わせた状態で、対となった２平面による押圧部材で金属パイプ５を押圧して、図１１に示すように金属パイプ５を楕円柱状に変形させて操作ワイヤー２及びワイヤー部材３１の仮固定を行う。
【００４６】
このとき、操作ワイヤー２及びワイヤー部材３１の位置ずれや脱落が無いように確実に押圧する。仮止め後、金属パイプ５は前記球状金属パイプ４，７の第２及び第５の固定部４２，７２と同様にスエージングマシンにてかしめ加工を行い、第１及び第３の固定部５３，５４を形成する。
【００４７】
これにより、図１に示した医療用ブラシ１が完成する。
ここで、かしめ加工後の金属パイプ５の外径は加工前と比較して数割分縮径する程度が望ましい。かしめ加工する時は操作ワイヤー２及びワイヤー部材３１のワイヤー素線が破断しないこと、金属パイプ５の破断、表面に亀裂、しわの発生が無いことが条件としてあげられる。
【００４８】
前記金属パイプ５と前記球状金属パイプ４，７は、操作ワイヤー２及びワイヤー部材３１との接触面積が前記金属パイプ５の方が大きく、かしめ強度は前記球状金属パイプ４，７よりも金属パイプ５の方が高い関係となる。また、スエージング加工により前記金属パイプ５は操作ワイヤー２及びワイヤー部材３１の軸方向および内径側に肉部が逃げる。その変形を見込んで前述したワイヤー突出し量の設定値、スエージングによるかしめ量の設定をする必要がある。
【００４９】
（効果）
本実施の形態では、ワイヤー部材３１のブラシ毛脱落防止策として、ワイヤ用固定パイプとなる金属パイプ５の隣接した位置に球状金属パイプ４をかしめ接続している。前記球状金属パイプ４はかしめ接続をすることで、球状金属の中心部が一番強く接続され、両端はゆるくなる。そのためワイヤー部材３１の接続部へかかる応力集中は分散され、ワイヤー部材３１のワイヤーのゆるみが少なくなりブラシ毛の抜けるまでの寿命が延び、洗浄ブラシとしての使用寿命が延びる。また、応力分散により接続部へ繰り返しかかる集中荷重も低減されるためワイヤーの破断までの寿命も延びる。
【００５０】
ここで、求めるゆるみが加減によって金属パイプ５をブラシ毛脱落防止部材とすることもできる。この場合ね金属パイプ５の端面形状を球状金属のように変えることで、球状金属と同じように金属パイプ５の接続部はかしめられ、金属パイプ５の両端にがたを持たせることができ、３部品を１部品へ減らすこともできる。しかし、球状部品を金属パイプ５の両端へ追加した方が集中荷重は分散されるので、図１に示した構造の方が耐久性が高い。
【００５１】
また、本実施の形態では、金属パイプ５を取り付ける方法として熱を利用しないかしめ加工が有効である。さらに、超弾性合金のような酸化被膜が強いワイヤーにおいては、溶接、銀ロー付け、ハンダ付け等による接合が困難という素材特性の理由もあり、かしめによる接合が特に有効な方法である。
【００５２】
金属パイプ５をかしめによって操作ワイヤー２及びワイヤー部材３１の両ワイヤーを接合した場合、かしめ時に金属パイプ５が変形を起こし、場合により端面にエッジのできることがあり、このエッジ部が洗浄ブラシの使用時に引っ掛かりの原因となることがある。そのため、本実施の形態では、金属パイプ５端面に隣接した位置に球状金属パイプ４，７を取り付けることで、エッジ部による引っ掛かりを軽減することが可能となる。また、金属パイプ５の両端にあらかじめ丸みを付けておく方法もある。
【００５３】
以上のことから、本実施の形態の医療用ブラシ１は、簡単な構造及び製造工程で、ブラシ毛を植毛したワイヤーのゆるみ及び切断を防止するとともに、エッジ部による引っ掛かりを軽減させことができるので、医療用ブラシ１の寿命を延長し、内視鏡のスコープの管路に挿入する際の引っ掛かりのを防止して信頼性を向上し、エッジ部とスコープ内部の接触によりスコープ内部を損傷させるのを防止できる。
【００５４】
尚、操作ワイヤー２には、超弾性記憶合金を用いれば、操作ワイヤー２が折れ曲がった場合にも熱を加えるだけで、操作ワイヤー２を真っ直ぐ伸ばすことが可能になり、操作ワイヤー２の寿命を延長できる。
【００５５】
［付記］
以上詳述したような本発明の前記実施の形態によれば、以下の如き構成を得ることができる。
【００５６】
（付記項１）　金属製のワイヤー部材からなる所定の大きさの第１の外径を有する長尺の操作ワイヤーと、
対象物をブラッシングするブラシ毛が植毛された所定の大きさの第２の外径と所定の長さを有する金属製のワイヤー部材からなるブラシ部と、
前記ブラシ部が有する第２の外径よりも大きい内径に形成された貫通路を有する金属製の球状材料からなる球状金属パイプと、
所定の長さに形成した金属製の筒状部材からなる金属パイプと、
前記操作ワイヤーが有する前記第１の外径よりも大きい第１の内径に形成された前記金属パイプが有する第１の開口部と、
前記ブラシ部が有する前記第２の外径よりも大きい第２の内径に形成された前記金属パイプが有する第２の開口部と、
前記第１の開口部から挿入した前記操作ワイヤーの先端部に前記金属パイプの外周面が押圧されてなる該操作ワイヤーを該金属パイプに固定する第１の固定部と、
前記貫通路に貫通させた前記ブラシ部の一端部に前記球状金属パイプの外周面が押圧されてなる該ブラシ部の一端部に該球状金属パイプを固定する第２の固定部と、
前記ブラシ部の一端部に固定された前記球状金属パイプから突出した該ブラシ部の一端部に設けられた突出部と、
前記球状金属パイプを前記金属パイプに突き当てるまで前記第２の開口部から挿入した前記突出部に該金属パイプの外周面が押圧されてなる前記ブラシ部を該金属パイプに固定する第３の固定部と、
を具備したことを特徴とする医療用ブラシ。
【００５７】
（付記項２）　操作ワイヤーに超弾性記憶合金を用いるとともに、ブラシ部と前記操作ワイヤーを金属パイプによって圧接およびかしめ等で位置決め固定した医療用ブラシにおいて、
継続的に使用していくにつれ前記ブラシ部の金属ワイヤーが解け、前記ブラシ部の毛が脱落することを防ぐために、前記金属パイプに隣接した位置に前記金属パイプよりも薄肉で略同形の球状金属パイプを設けることを特徴とする医療用ブラシ。
【００５８】
【発明の効果】
以上述べた様に本発明によれば、簡単な構造及び製造工程で、ブラシ毛を植毛したワイヤーのゆるみ及び切断を防止するとともに、エッジ部による引っ掛かりを軽減できるので、医療用ブラシの寿命を延長し、内視鏡のスコープの管路に挿入する際の引っ掛かりのを防止して信頼性を向上し、エッジ部とスコープ内部の接触によりスコープ内部を損傷させるのを防止できる。
【図面の簡単な説明】
【図１】本発明の実施の形態に係る医療用ブラシの側面図。
【図２】本発明の実施の形態に係る医療用ブラシの製造工程を示す第１の説明図。
【図３】本発明の実施の形態に係る医療用ブラシの製造工程を示す第２の説明図。
【図４】本発明の実施の形態に係る医療用ブラシの製造工程を示す第３の説明図。
【図５】本発明の実施の形態に係る医療用ブラシの製造工程を示す第４の説明図。
【図６】本発明の実施の形態に係る医療用ブラシの製造工程を示す第５の説明図。
【図７】本発明の実施の形態に係る医療用ブラシの製造工程を示す第６の説明図。
【図８】本発明の実施の形態に係る医療用ブラシの製造工程を示す第７の説明図。
【図９】本発明の実施の形態に係る医療用ブラシの製造工程を示す第８の説明図。
【図１０】本発明の実施の形態に係る医療用ブラシの製造工程を示す第９の説明図。
【図１１】本発明の実施の形態に係る医療用ブラシの製造工程を示す第１０の説明図。
【図１２】本発明の実施の形態に係る医療用ブラシの製造工程を示す第１１の説明図。
【符号の説明】
１　　　　　…医療用ブラシ
２　　　　　…操作ワイヤー
３　　　　　…ブラシ部
４　　　　　…球状金属パイプ
５　　　　　…金属パイプ
３１　　　　　…ワイヤー部材
２１　　　　　…先端部
３２　　　　　…ブラシ毛
４１　　　　　…貫通路
４２　　　　　…第２の固定部
５１　　　　　…第１の開口部
５２　　　　　…第２の開口部
５３　　　　　…第１の固定部
５４　　　　　…第３の固定部
Ｄ１　　　　　…第１の外径
Ｄ２　　　　　…第２の外径
【図１】
2004105290.tif 000003
【図２】
2004105290.tif 000004
【図３】
2004105290.tif 000005
【図４】
2004105290.tif 000006
【図５】
2004105290.tif 000007
【図６】
2004105290.tif 000008
【図７】
2004105290.tif 000009
【図８】
2004105290.tif 000010
【図９】
2004105290.tif 000011
【図１０】
2004105290.tif 000012
【図１１】
2004105290.tif 000013
【図１２】
2004105290.tif 000014